(57)【要約】【課題】  肌状態をより精度よく鑑別することのできる肌状態の鑑別方法、及びそれに基づいて化粧料の評価方法、設計方法を提供すること。【解決手段】  肌状態の鑑別方法であって、被験者の表情顔を撮影した顔画像を取得する顔画像取得工程と、顔画像より光学的に検出可能な、肌の高輝度領域の面積やスジ形状領域の面積といった特徴量を抽出する特徴量抽出工程と、特徴量に基づいて被験者の肌状態を鑑別する肌状態鑑別工程と、を備えることを特徴とする。【選択図】図１
2017217445.tif 000002
【特許請求の範囲】
【請求項１】
肌状態の鑑別方法であって、
被験者の表情顔を撮影した顔画像を取得する顔画像取得工程と、
前記顔画像より光学的に検出可能な特徴量を抽出する特徴量抽出工程と、
前記特徴量に基づいて前記被験者の肌状態を鑑別する肌状態鑑別工程と、を備えることを特徴とする、肌状態の鑑別方法。
【請求項２】
前記顔画像取得工程において、それぞれ表情の異なる複数の前記顔画像を取得し、
前記特徴量抽出工程において、複数の前記顔画像のそれぞれについての前記特徴量を抽出し、
前記肌状態鑑別工程において、複数の前記特徴量を用いることを特徴とする、請求項１に記載の肌状態の鑑別方法。
【請求項３】
複数の前記顔画像として、前記被験者の表情の変化を含む動画像中の複数のフレーム画像を用いることを特徴とする、請求項２に記載の肌状態の鑑別方法。
【請求項４】
前記特徴量が皮膚の毛穴周辺のスジ形状領域に関する量を含むことを特徴とする、請求項１から請求項３の何れかに記載の肌状態の鑑別方法。
【請求項５】
前記特徴量抽出工程において、前記顔画像の輝度より前記特徴量を抽出することを特徴とする、請求項１から請求項４の何れかに記載の肌状態の鑑別方法。
【請求項６】
前記特徴量が、前記顔画像中で所定の輝度よりも高い輝度を有する高輝度領域に関する量を含むことを特徴とする、請求項１から請求項５の何れかに記載の肌状態の鑑別方法。
【請求項７】
前記特徴量が皮膚の毛穴周辺のスジ形状領域に関する量を含み、
前記特徴量抽出工程において、前記顔画像中で所定範囲の輝度を有する領域を、前記スジ形状領域として抽出することを特徴とする、請求項１から請求項６の何れかに記載の肌状態の鑑別方法。
【請求項８】
前記肌状態が、老化状態であることを特徴とする、請求項１から請求項７の何れかに記載の肌状態の鑑別方法。
【請求項９】
化粧料の評価方法であって、
化粧後の表情顔を撮影した化粧後画像を取得する化粧後画像取得工程と、
前記化粧後画像より光学的に検出可能な化粧後の特徴量を抽出する化粧後特徴量抽出工程と、
前記化粧後の特徴量と、同様にして予め取得された同一人の化粧前の特徴量とを比較し、化粧効果を評価する評価工程と、を備えることを特徴とする、化粧料の評価方法。
【請求項１０】
前記化粧後画像取得工程において、それぞれ表情の異なる複数の前記化粧後画像を取得し、
前記化粧後特徴量抽出工程において、複数の前記化粧後画像のそれぞれについての前記化粧後の特徴量を抽出し、
前記評価工程において、複数の前記化粧後の特徴量と、複数の前記化粧前の特徴量と、を用いることを特徴とする、請求項９に記載の化粧料の評価方法。
【請求項１１】
複数の前記化粧後画像として、表情の変化を含む動画像中の複数のフレーム画像を用いることを特徴とする、請求項１０に記載の化粧料の評価方法。
【請求項１２】
前記化粧後の特徴量及び前記化粧前の特徴量が、皮膚の毛穴周辺のスジ形状領域に関する量を含むことを特徴とする、請求項９から請求項１１の何れかに記載の化粧料の評価方法。
【請求項１３】
前記化粧後特徴量抽出工程において、前記化粧後画像の輝度より前記化粧後の特徴量を抽出することを特徴とする、請求項９から請求項１２の何れかに記載の化粧料の評価方法。
【請求項１４】
前記化粧後の特徴量及び前記化粧前の特徴量が、前記化粧後画像及び化粧前の表情顔を撮影した画像中で所定の輝度よりも高い輝度を有する高輝度領域に関する量を含むことを特徴とする、請求項９から請求項１３の何れかに記載の化粧料の評価方法。
【請求項１５】
前記化粧後の特徴量及び前記化粧前の特徴量が、皮膚の毛穴周辺のスジ形状領域に関する量を含み、
前記化粧後特徴量抽出工程において、前記化粧後画像中で所定範囲の輝度を有する領域を、前記スジ形状領域として抽出することを特徴とする、請求項９から請求項１４の何れかに記載の化粧料の評価方法。
【請求項１６】
化粧料の設計方法であって、
化粧後の表情顔を撮影した化粧後画像を取得する化粧後画像取得工程と、
前記化粧後画像より光学的に検出可能な化粧後の特徴量を抽出する化粧後特徴量抽出工程と、
前記化粧後の特徴量と、同様にして予め取得された同一人の化粧前の特徴量とを比較し、化粧効果を評価する評価工程と、
前記化粧効果に基づいて、前記化粧料の成分の処方を選択する選択工程と、を備えることを特徴とする、化粧料の設計方法。
【請求項１７】
前記化粧後画像取得工程において、それぞれ表情の異なる複数の前記化粧後画像を取得し、
前記化粧後特徴量抽出工程において、複数の前記化粧後画像のそれぞれについての前記特徴量を抽出し、
前記評価工程において、複数の前記特徴量の間のばらつきから前記化粧効果を評価し、
前記選択工程において、前記ばらつきが小さくなるように前記処方を選択することを特徴とする、請求項１６に記載の化粧料の設計方法。
【請求項１８】
前記特徴量が皮膚の毛穴周辺のスジ形状領域に関する量を含み、
前記選択工程において、前記スジ形状領域の面積が小さくなるように前記処方を選択することを特徴とする、請求項１６又は請求項１７に記載の化粧料の設計方法。
【請求項１９】
前記特徴量が前記化粧後画像中で所定の輝度よりも高い輝度を有する高輝度領域の面積を含み、
前記選択工程において、前記高輝度領域の面積が小さくなるように前記処方を選択することを特徴とする、請求項１６又は請求項１７に記載の化粧料の設計方法。
【請求項２０】
皮膚の代替物を試料として用いる化粧料の評価方法であって、
前記化粧料を塗布した前記試料を撮影した塗布後画像を取得する塗布後画像取得工程と、
前記塗布後画像より光学的に検出可能な化粧料塗布後の特徴量を抽出する塗布後特徴量抽出工程と、
前記化粧料塗布後の特徴量と、同様にして予め取得された同一試料の化粧料塗布前の特徴量とを比較し、化粧効果を評価する評価工程と、を備えることを特徴とする、化粧料の評価方法。
【請求項２１】
前記塗布後画像取得工程において、前記試料をそれぞれ異なる形状に変形させた状態の複数の前記塗布後画像を取得し、
前記塗布後特徴量抽出工程において、複数の前記塗布後画像のそれぞれについての前記化粧料塗布後の特徴量を抽出し、
前記評価工程において、複数の前記化粧料塗布後の特徴量と、複数の前記化粧料塗布前の特徴量と、を用いることを特徴とする、請求項２０に記載の化粧料の評価方法。
【請求項２２】
複数の前記塗布後画像として、前記試料の変形の過程を含む動画像中の複数のフレーム画像を用いることを特徴とする、請求項２１に記載の化粧料の評価方法。
【請求項２３】
前記試料の表面形状が人の皮膚の毛穴を模したものであって、
前記化粧料塗布後の特徴量及び前記化粧料塗布前の特徴量が、皮膚の毛穴周辺のスジ形状領域に関する量を含むことを特徴とする、請求項２０から請求項２２の何れかに記載の化粧料の評価方法。
【請求項２４】
前記塗布後特徴量抽出工程において、前記塗布後画像の輝度より前記化粧料塗布後の特徴量を抽出することを特徴とする、請求項２０から請求項２３の何れかに記載の化粧料の評価方法。
【請求項２５】
前記化粧料塗布後の特徴量及び前記化粧料塗布前の特徴量が、前記塗布後画像及び化粧料塗布前の前記試料を撮影した画像中で所定の輝度よりも高い輝度を有する高輝度領域に関する量を含むことを特徴とする、請求項２０から請求項２４の何れかに記載の化粧料の評価方法。
【請求項２６】
前記試料の表面形状が人の皮膚の毛穴を模したものであって、
前記化粧料塗布後の特徴量及び前記化粧料塗布前の特徴量が、皮膚の毛穴周辺のスジ形状領域に関する量を含み、
前記塗布後特徴量抽出工程において、前記塗布後画像中で所定範囲の輝度を有する領域を、前記スジ形状領域として抽出することを特徴とする、請求項２０から請求項２５の何れかに記載の化粧料の評価方法。
【請求項２７】
皮膚の代替物を試料として用いる化粧料の設計方法であって、
前記化粧料を塗布した前記試料を撮影した塗布後画像を取得する塗布後画像取得工程と、
前記塗布後画像より光学的に検出可能な化粧料塗布後の特徴量を抽出する塗布後特徴量抽出工程と、
前記化粧料塗布後の特徴量と、同様にして予め取得された同一試料の化粧料塗布前の特徴量とを比較し、化粧効果を評価する評価工程と、
前記化粧効果に基づいて、前記化粧料の成分の処方を選択する選択工程と、を備えることを特徴とする、化粧料の設計方法。
【請求項２８】
前記塗布後画像取得工程において、前記試料をそれぞれ異なる形状に変形させた状態の複数の前記塗布後画像を取得し、
前記塗布後特徴量抽出工程において、複数の前記塗布後画像のそれぞれについての前記特徴量を抽出し、
前記評価工程において、複数の前記特徴量の間のばらつきから前記化粧効果を評価し、
前記選択工程において、前記ばらつきが小さくなるように前記処方を選択することを特徴とする、請求項２７に記載の化粧料の設計方法。
【請求項２９】
前記試料の表面形状が人の皮膚の毛穴を模したものであって、
前記特徴量が皮膚の毛穴周辺のスジ形状領域に関する量を含み、
前記選択工程において、前記スジ形状領域の面積が小さくなるように前記処方を選択することを特徴とする、請求項２７又は請求項２８に記載の化粧料の設計方法。
【請求項３０】
前記特徴量が前記塗布後画像中で所定の輝度よりも高い輝度を有する高輝度領域の面積を含み、
前記選択工程において、前記高輝度領域の面積が小さくなるように前記処方を選択することを特徴とする、請求項２７又は請求項２８に記載の化粧料の設計方法。
【発明の詳細な説明】
【技術分野】
【０００１】
本発明は、肌状態の鑑別方法、化粧料の評価方法、及びそれを用いた化粧料の設計方法に関する。
【背景技術】
【０００２】
人の肌の状態は、年齢や健康状態など、様々な要因によって刻々と変化する。そのため、撮影された画像などから肌の状態に関するパラメータを取得し、解析する技術について、様々な研究が行われている。
【０００３】
例えば、特許文献１には、被験者の顔面における測定対象部位の輝度を測定し、ヒストグラムを生成して、そのヒストグラムの形状から、被験者の肌の状態を評価する技術が公開されている。
【０００４】
また、特許文献２には、被験者の顔画像を取得し、そこから空間周波数の強度を算出することによって、被験者の年齢を推定する技術が公開されている。
【先行技術文献】
【特許文献】
【０００５】
【特許文献１】特開２００９−１３１３３６号公報
【特許文献２】再表２０１１−１６２０５０号公報
【発明の概要】
【発明が解決しようとする課題】
【０００６】
先述の通り、被験者の肌の状態の評価などを行うためのパラメータについて検討されてきたが、これらはいずれもある瞬間における被験者の顔を観測して得られるものに過ぎない。
【０００７】
しかし、人の肌状態は、種々の因子によって形成されており、より正確な鑑別を行なう方法や、それを改善することのできる化粧料が望まれていた。
【０００８】
そこで、本発明では、肌状態をより精度よく鑑別することのできる肌状態の鑑別方法、及びそれに基づいて化粧料の評価方法、設計方法を提供することを課題とする。
【課題を解決するための手段】
【０００９】
上記課題を解決するために、本発明に係る肌状態の鑑別方法は、
肌状態の鑑別方法であって、
所定の表情をとった被験者の顔（表情顔）を撮影した顔画像を取得する顔画像取得工程と、
前記顔画像より光学的に検出可能な特徴量を抽出する特徴量抽出工程と、
前記特徴量に基づいて前記被験者の肌状態を鑑別する肌状態鑑別工程と、を備えることを特徴とする。
【００１０】
このように、光学的に取得可能な特徴量を用いることで、被験者の顔の見た目に影響を及ぼす肌状態を鑑別することができる。
【００１１】
本発明の好ましい形態では、肌状態の鑑別方法が、前記顔画像取得工程において、それぞれ表情の異なる複数の前記顔画像を取得し、
前記特徴量抽出工程において、複数の前記顔画像のそれぞれについての前記特徴量を抽出し、
前記肌状態鑑別工程において、複数の前記特徴量を用いることを特徴とする。
これにより、日常的に表情の変化が起きた際に現出する肌状態の鑑別を行うことができる。
【００１２】
本発明の好ましい形態では、肌状態の鑑別方法が、複数の前記顔画像として、前記被験者の表情の変化を含む動画像中の複数のフレーム画像を用いることを特徴とする。
このように、時系列に沿った複数の顔画像を用いることで、実際に日常的に現出するものにより近い肌状態を鑑別することができる。
【００１３】
本発明の好ましい形態では、前記特徴量が皮膚の毛穴周辺のスジ形状領域に関する量を含むことを特徴とする。
【００１４】
本発明の好ましい形態では、肌状態の鑑別方法が、前記特徴量抽出工程において、前記顔画像の輝度より前記特徴量を抽出することを特徴とする。
【００１５】
本発明の好ましい形態では、前記特徴量が、前記顔画像中で所定の輝度よりも高い輝度を有する高輝度領域に関する量を含むことを特徴とする。
【００１６】
本発明の好ましい形態では、前記特徴量が皮膚の毛穴周辺のスジ形状領域に関する量を含み、
前記特徴量抽出工程において、前記顔画像中で所定範囲の輝度を有する領域を、前記スジ形状領域として抽出することを特徴とする。
【００１７】
本発明の好ましい形態では、前記肌状態が、老化状態であることを特徴とする。
【００１８】
本発明に係る化粧料の評価方法は、
化粧料の評価方法であって、
化粧後の表情顔を撮影した化粧後画像を取得する化粧後画像取得工程と、
前記化粧後画像より光学的に検出可能な化粧後の特徴量を抽出する化粧後特徴量抽出工程と、
前記化粧後の特徴量と、同様にして予め取得された同一人の化粧前の特徴量とを比較し、化粧効果を評価する評価工程と、を備えることを特徴とする。
【００１９】
本発明の好ましい形態では、化粧料の評価方法が、前記化粧後画像取得工程において、それぞれ表情の異なる複数の前記化粧後画像を取得し、
前記化粧後特徴量抽出工程において、複数の前記化粧後画像のそれぞれについての前記化粧後の特徴量を抽出し、
前記評価工程において、複数の前記化粧後の特徴量と、複数の前記化粧前の特徴量と、を用いることを特徴とする。
【００２０】
本発明の好ましい形態では、化粧料の評価方法が、複数の前記化粧後画像として、表情の変化を含む動画像中の複数のフレーム画像を用いることを特徴とする。
【００２１】
本発明の好ましい形態では、前記化粧後の特徴量及び前記化粧前の特徴量が、皮膚の毛穴周辺のスジ形状領域に関する量を含むことを特徴とする。
【００２２】
本発明の好ましい形態では、化粧料の評価方法が、前記化粧後特徴量抽出工程において、前記化粧後画像の輝度より前記化粧後の特徴量を抽出することを特徴とする。
【００２３】
本発明の好ましい形態では、前記化粧後の特徴量及び前記化粧前の特徴量が、前記化粧後画像及び化粧前の表情顔を撮影した画像中で所定の輝度よりも高い輝度を有する高輝度領域に関する量を含むことを特徴とする。
【００２４】
本発明の好ましい形態では、前記化粧後の特徴量及び前記化粧前の特徴量が、皮膚の毛穴周辺のスジ形状領域に関する量を含み、
前記化粧後特徴量抽出工程において、前記化粧後画像中で所定範囲の輝度を有する領域を、前記スジ形状領域として抽出することを特徴とする。
【００２５】
本発明に係る化粧料の設計方法は、
化粧料の設計方法であって、
化粧後の表情顔を撮影した化粧後画像を取得する化粧後画像取得工程と、
前記化粧後画像より光学的に検出可能な化粧後の特徴量を抽出する化粧後特徴量抽出工程と、
前記化粧後の特徴量と、同様にして予め取得された同一人の化粧前の特徴量とを比較し、化粧効果を評価する評価工程と、
前記化粧効果に基づいて、前記化粧料の成分の処方を選択する選択工程と、を備えることを特徴とする。
【００２６】
本発明の好ましい形態では、化粧料の設計方法が、前記化粧後画像取得工程において、それぞれ表情の異なる複数の前記化粧後画像を取得し、
前記化粧後特徴量抽出工程において、複数の前記化粧後画像のそれぞれについての前記特徴量を抽出し、
前記評価工程において、複数の前記特徴量の間のばらつきから前記化粧効果を評価し、
前記選択工程において、前記ばらつきが小さくなるように前記処方を選択することを特徴とする。
【００２７】
本発明の好ましい形態では、前記特徴量が皮膚の毛穴周辺のスジ形状領域に関する量を含み、
前記選択工程において、前記スジ形状領域の面積が小さくなるように前記処方を選択することを特徴とする。
【００２８】
本発明の好ましい形態では、前記特徴量が前記化粧後画像中で所定の輝度よりも高い輝度を有する高輝度領域の面積を含み、
前記選択工程において、前記高輝度領域の面積が小さくなるように前記処方を選択することを特徴とする。
【００２９】
本発明に係る化粧料の評価方法は、
皮膚の代替物を試料として用いる化粧料の評価方法であって、
前記化粧料を塗布した前記試料を撮影した塗布後画像を取得する塗布後画像取得工程と、
前記塗布後画像より光学的に検出可能な化粧料塗布後の特徴量を抽出する塗布後特徴量抽出工程と、
前記化粧料塗布後の特徴量と、同様にして予め取得された同一試料の化粧料塗布前の特徴量とを比較し、化粧効果を評価する評価工程と、を備えることを特徴とする。
【００３０】
本発明の好ましい形態では、
前記塗布後画像取得工程において、前記試料をそれぞれ異なる形状に変形させた状態の複数の前記塗布後画像を取得し、
前記塗布後特徴量抽出工程において、複数の前記塗布後画像のそれぞれについての前記化粧料塗布後の特徴量を抽出し、
前記評価工程において、複数の前記化粧料塗布後の特徴量と、複数の前記化粧料塗布前の特徴量と、を用いることを特徴とする。
【００３１】
本発明の好ましい形態では、
複数の前記化粧料塗布後画像として、前記試料の変形の過程を含む動画像中の複数のフレーム画像を用いることを特徴とする。
【００３２】
本発明の好ましい形態では、
前記試料の表面形状が人の皮膚の毛穴を模したものであって、
前記化粧料塗布後の特徴量及び前記化粧料塗布前の特徴量が、皮膚の毛穴周辺のスジ形状領域に関する量を含むことを特徴とする。
【００３３】
本発明の好ましい形態では、化粧料の評価方法が、前記塗布後特徴量抽出工程において、前記塗布後画像の輝度より前記化粧料塗布後の特徴量を抽出することを特徴とする。
【００３４】
本発明の好ましい形態では、前記化粧料塗布後の特徴量及び前記化粧料塗布前の特徴量が、前記塗布後画像及び化粧料塗布前の前記試料を撮影した画像中で所定の輝度よりも高い輝度を有する高輝度領域に関する量を含むことを特徴とする。
【００３５】
本発明の好ましい形態では、
前記試料の表面形状が人の皮膚の毛穴を模したものであって、
前記化粧料塗布後の特徴量及び前記化粧料塗布前の特徴量が、皮膚の毛穴周辺のスジ形状領域に関する量を含み、
前記塗布後特徴量抽出工程において、前記塗布後画像中で所定範囲の輝度を有する領域を、前記スジ形状領域として抽出することを特徴とする。
【００３６】
本発明に係る化粧料の設計方法は、
皮膚の代替物を試料として用いる化粧料の設計方法であって、
前記化粧料を塗布した前記試料を撮影した塗布後画像を取得する塗布後画像取得工程と、
前記塗布後画像より光学的に検出可能な化粧料塗布後の特徴量を抽出する塗布後特徴量抽出工程と、
前記化粧料塗布後の特徴量と、同様にして予め取得された同一試料の化粧料塗布前の特徴量とを比較し、化粧効果を評価する評価工程と、
前記化粧効果に基づいて、前記化粧料の成分の処方を選択する選択工程と、を備えることを特徴とする。
【００３７】
本発明の好ましい形態では、化粧料の設計方法が、
前記塗布後画像取得工程において、前記試料をそれぞれ異なる形状に変形させた状態の複数の前記塗布後画像を取得し、
前記塗布後特徴量抽出工程において、複数の前記塗布後画像のそれぞれについての前記特徴量を抽出し、
前記評価工程において、複数の前記特徴量の間のばらつきから前記化粧効果を評価し、
前記選択工程において、前記ばらつきが小さくなるように前記処方を選択する。
【００３８】
本発明の好ましい形態では、
前記試料の表面形状が人の皮膚の毛穴を模したものであって、
前記特徴量が皮膚の毛穴周辺のスジ形状領域に関する量を含み、
前記選択工程において、前記スジ形状領域の面積が小さくなるように前記処方を選択することを特徴とする。
【００３９】
本発明の好ましい形態では、
前記特徴量が前記塗布後画像中で所定の輝度よりも高い輝度を有する高輝度領域の面積を含み、
前記選択工程において、前記高輝度領域の面積が小さくなるように前記処方を選択することを特徴とする。
【発明の効果】
【００４０】
表情の変化に際して現出する肌状態の鑑別、そしてそれを用いた化粧料の評価と設計の方法を提供することができる。
【図面の簡単な説明】
【００４１】
【図１】本発明に係る高輝度面積を用いた肌状態の鑑別方法を示すフローチャートである。
【図２】本発明に係るスジ形状面積を用いた肌状態の鑑別方法を示すフローチャートである。
【図３】本発明に係る化粧料の評価方法を示すフローチャートである。
【図４】本発明に係る化粧料の設計方法を示すフローチャートである。
【図５】解析対象とする動画像中に含まれる被験者の表情の一例を示す図である（図面代用写真）。
【図６】解析対象とする動画像の撮影角度を示す図である（図面代用写真）。
【図７】フレーム画像より抽出したＢ画像の一例を示す図である（図面代用写真）。
【図８】Ｂ画像より抽出したテカリ領域の一例を示す図である（図面代用写真）。
【図９】２０代の被験者についてのテカリ面積の割合の算出結果を示す図である。
【図１０】３０代の被験者についてのテカリ面積の割合の算出結果を示す図である。
【図１１】４０代の被験者についてのテカリ面積の割合の算出結果を示す図である。
【図１２】５０代の被験者についてのテカリ面積の割合の算出結果を示す図である。
【図１３】６０代の被験者についてのテカリ面積の割合の算出結果を示す図である。
【図１４】テカリ面積の割合の年代別の平均値の算出結果を示す図である。
【図１５】テカリ面積の割合の表情間における標準偏差の年代別の平均値の算出結果を示す図である。
【図１６】２０代の被験者についてのスジ形状面積の割合の算出結果を示す図である。
【図１７】３０代の被験者についてのスジ形状面積の割合の算出結果を示す図である。
【図１８】４０代の被験者についてのスジ形状面積の割合の算出結果を示す図である。
【図１９】５０代の被験者についてのスジ形状面積の割合の算出結果を示す図である。
【図２０】６０代の被験者についてのスジ形状面積の割合の算出結果を示す図である。
【図２１】スジ形状面積の割合の年代別の平均値の算出結果を示す図である。
【図２２】スジ形状面積の割合の各表情間における標準偏差の年代別の平均値の算出結果を示す図である。
【図２３】化粧前後のテカリ面積の算出結果を示す図である。
【図２４】化粧前後のスジ形状面積の算出結果を示す図である。
【図２５】人工皮膚の変形の様子を示す図である（図面代用写真）。
【図２６】人工皮膚の撮影画像より抽出したＢ画像の一例を示す図である（図面代用写真）。
【図２７】人工皮膚のＢ画像より抽出したテカリ領域の一例を示す図である（図面代用写真）。
【図２８】人工皮膚のＧ画像より抽出したスジ形状領域の一例を示す図である（図面代用写真）。
【図２９】人工皮膚の変形時のテカリ面積の算出結果を示す図である。
【図３０】人工皮膚の変形時のスジ形状面積の割合の算出結果を示す図である。
【図３１】素肌状態での被験者の表情変化の様子を示す図である。（図面代用写真）
【図３２】化粧料Ａを使用した状態での被験者の表情変化の様子を示す図である。（図面代用写真）
【図３３】化粧料Ｂを使用した状態での被験者の表情変化の様子を示す図である。（図面代用写真）
【図３４】素肌状態での被験者のテカリ領域の変化の様子を示す図である。（図面代用写真）
【図３５】化粧料Ａを使用した状態での被験者のテカリ領域の変化の様子を示す図である。（図面代用写真）
【図３６】化粧料Ｂを使用した状態での被験者のテカリ領域の変化の様子を示す図である。（図面代用写真）
【図３７】素肌、化粧料Ａ使用、化粧料Ｂ使用のそれぞれの状態についての、テカリ面積の算出結果を示す図である。
【図３８】素肌状態での被験者のスジ形状領域の変化の様子を示す図である。（図面代用写真）
【図３９】化粧料Ａを使用した状態での被験者のスジ形状領域の変化の様子を示す図である。（図面代用写真）
【図４０】化粧料Ｂを使用した状態での被験者のスジ形状領域の変化の様子を示す図である。（図面代用写真）
【図４１】素肌、化粧料Ａ使用、化粧料Ｂ使用のそれぞれの状態についての、スジ形状面積の算出結果を示す図である。
【発明を実施するための形態】
【００４２】
［１］高輝度面積を用いた肌状態の鑑別方法
本発明は、被験者の顔画像より、光学的に検出可能な特徴量として、所定の輝度よりも高い輝度を有する高輝度領域の面積（高輝度面積）を抽出し、その解析を行うことによって、被験者の肌状態を鑑別する、肌状態の鑑別方法である。
【００４３】
本発明にいう「肌状態」とは、特に、肌の状態の内で見た目に影響を及ぼすものをいう。例えば、被験者の年齢に応じて変化する肌状態として、老化状態が挙げられる。また、肌の水分量や弾力性など、様々な肌の状態を含むものである。更に、このような種々の肌状態の鑑別を行なった結果を用いて、被験者の年齢の推定などを行ってもよい。
【００４４】
また、「高輝度領域」とは、先に述べたように顔画像中において所定の輝度よりも高い輝度を有する領域である。ここでの所定の輝度は、例えば、顔画像において肌の鏡面反射によるテカリが感じられる領域に着目するのであれば、目視評価等においてテカリが感じられる領域を抽出できるような値とすればよい。他にも顔画像中で白飛びが起きている領域、肌にツヤが感じられる領域、といったような種々の観点により、高輝度領域を抽出するための所定の輝度を決定すればよい。
【００４５】
図１は、本発明の高輝度面積を用いた肌状態の鑑別方法を示すフローチャートである。これを参照して、本発明の高輝度面積を用いた肌状態の鑑別方法について、詳細に説明する。
【００４６】
まず、ステップＳ１１において、被験者の顔の表情変化を含む動画像を取得する。ここでは汎用的なビデオカメラで評価対象の顔の動画像を撮影した動画像を用いてよいが、後のステップにおける画像解析に耐えうる程度の解像度やフレームレートを有していることが好ましい。また、ここでは、カラーの動画像を取得することが好ましい。
【００４７】
そして、ステップＳ１２において、ステップＳ１１で取得した動画像より、解析対象とする複数のフレーム画像を取得する。ここでのフレーム画像としては、動画像に含まれる複数の表情について、それぞれの表情が一番強く表れているフレーム画像を選択することが好ましい。
【００４８】
ステップＳ１３では、各フレーム画像について、ＲＧＢ平面への分割を行い、Ｂ（青色）成分のみが含まれるＢ画像を取得する。これにより各フレーム画像は０−２５５までの２５６階調などの、所定の階調によって表現されるものとなる。なお、２５６階調という階調数は一例に過ぎず、より大きな階調数や小さな階調数を用いてもよい。これは、後のステップにおける高輝度領域の抽出を行いやすくするための処理である。また、ここでＢ画像に代えてＧ（緑色）成分のみが含まれるＧ画像を取得するような構成としてもよい。
【００４９】
ステップＳ１４では、ステップＳ１３で取得したＢ画像に対して、フィルタを適用する。これも、ステップＳ１３におけるＢ画像化と同じく、後のステップにおける高輝度領域の抽出を行いやすくするための処理である。ここでは例えば、ＦＦＴ（Ｆａｓｔ  Ｆｏｕｒｉｅｒ  Ｔｒａｎｓｆｏｒｍ）フィルタ等を用いることができる。
【００５０】
そして、ステップＳ１５において、ステップＳ１４までの処理を行った各フレーム画像より、解析対象領域を抽出する。ここでは、例えば頬部位などを解析対象領域として抽出する。また、このステップを省略し、顔全体を解析対象としてもよい。
【００５１】
その後、ステップＳ１６で、解析対象領域中の高輝度領域を抽出する。ここでは、高輝度領域として、所定の階調値を超える領域を抽出した。なお、ここで所定の階調値とは、先に述べたように、フレーム画像を目視した際に肌のテカリが感じられる領域を抽出することのできるような値など、任意の階調値を採用すればよい。あるいは、予め複数の被験者についての顔画像の解析を行い、所定の階調値を算出しておくなどしてもよい。
【００５２】
ステップ１６で抽出した高輝度領域の面積をステップＳ１７で算出した後、ステップＳ１８において、各フレーム画像における高輝度面積の解析を行う。ここでの解析としては、全てのフレーム画像中の高輝度面積の平均値や、標準偏差を算出することが挙げられる。高輝度面積の平均値はすなわち、高輝度面積の絶対値の大きさを示す指標であるといえる。また、高輝度面積の標準偏差は、各フレーム画像の間における、すなわち、各表情間における高輝度面積のばらつきを表す指標であるといえる。
【００５３】
なお、ここで、平均値や標準偏差の計算は、ステップＳ１７で算出した高輝度面積の値を直接用いて行ってもよいが、ステップＳ１５で抽出した解析対象領域全体の面積に対して、ステップＳ１７で算出した高輝度面積が占める割合を用いて計算をすることがより好ましい。このように、解析対象領域中の高輝度領域の割合を用いて解析を行うことで、被験者ごとの解析対象領域全体の面積の大きさの差による影響を抑えた解析を行うことができる。
【００５４】
このようにして求めた被験者の高輝度面積の絶対値や各表情間におけるばらつきより、被験者の肌状態の鑑別を行うことができる。
【００５５】
事前に複数の被験者について高輝度面積の解析を行い、各表情間における高輝度面積の平均値やばらつきを算出しておき、それらの複数の被験者間における平均値や標準偏差と、鑑別対象とする被験者の各表情間における高輝度面積の平均値やばらつきを比較することで、被験者の肌状態の鑑別を行えばよい。特に、肌の老化状態の鑑別を行うのであれば、事前に各表情間における高輝度面積の平均値やばらつきの、世代ごとの平均値や標準偏差を算出しておき、それらの値と被験者についての測定値を比較すれば、被験者の肌の老化状態を鑑別することができる。
【００５６】
なお、ステップＳ１１における動画像の取得は、先に述べたように、汎用的なビデオカメラを用いて行えばよい。ステップＳ１２からステップＳ１８までの各処理については、コンピュータ装置上で動作する単一の、あるいは複数の、任意のソフトウェアを用いて行えばよい。これらのソフトウェアは、例えば、汎用的な画像処理ソフトウェアや表計算ソフトウェアなどを用いてもよいし、本発明に係る肌状態の解析のための専用のソフトウェアを用いてもよい。
【００５７】
［２］スジ形状面積を用いた肌状態の鑑別方法
本発明は、被験者の顔画像より、光学的に検出可能な特徴量として毛穴周辺のスジ形状領域の面積（スジ形状面積）を抽出し、その解析を行うことによって、被験者の肌状態を鑑別する、肌状態の鑑別方法である。
【００５８】
ここで、本発明におけるスジ形状領域とは、顔の表情の変化に伴う皮膚の伸縮等により、毛穴を含む周辺領域の形状が変化し、溝状もしくは線状の構造が生じる、スジ状の領域をいうものである。
【００５９】
図２は、本発明のスジ形状面積を用いた肌状態の鑑別方法を示すフローチャートである。これを参照して、本発明のスジ形状面積を用いた肌状態の鑑別方法について、詳細に説明する。
【００６０】
ステップＳ２１における動画像の取得、ステップＳ２２における動画像からのフレーム画像の取得は、先に図１を参照して説明した、特徴量として高輝度面積を用いる場合のステップＳ１１、ステップＳ１２と同様の手順で行えばよい。
【００６１】
ステップＳ２３においても、先に図１を参照して説明したステップＳ１３と同様に、Ｂ（青色）成分のみが含まれるＢ画像を取得してもよいが、特徴量としてスジ形状領域を用いる本実施形態においては、Ｇ（緑色）成分のみが含まれるＧ画像を取得する構成とする方がより好適である。
【００６２】
続くステップＳ２４において、ステップＳ２３で取得した各フレーム画像より、解析対象領域を抽出する。ここでは、例えば頬部位などを解析対象領域として抽出する。また、このステップを省略し、顔全体を解析対象としてもよい。
【００６３】
その後、ステップＳ２５で、後のステップにおけるスジ形状領域の抽出を行いやすくするためのフィルタを適用する。ここでは例えば、スムージングやエッジ抽出などのフィルタ処理を行う。
【００６４】
そして、ステップＳ２６において、階調を用いてスジ形状領域を粗に抽出する。ここでは、階調値が所定の範囲内に含まれる領域をスジ形状領域として抽出する。なお、ここでの階調値の所定範囲は、フレーム画像中から階調値が当該範囲に含まれる領域を抽出した場合にスジ形状領域が得られるような、被験者ごとの任意の範囲を採用すればよい。あるいは、予め複数の被験者についての顔画像の解析を行い、階調値の所定範囲を算出しておくなどしてもよい。
【００６５】
更に、ステップＳ２７において、ステップＳ２６で粗に抽出したスジ形状領域より線形状領域を抽出する。これは、例えば真円度によるフィルタリングなどを行い、ステップＳ２６において抽出したスジ形状領域より、点状のノイズなどを除去する処理である。
【００６６】
ステップＳ２７で抽出したスジ形状領域の面積をステップＳ２８で算出した後、ステップＳ２９において、各フレーム画像におけるスジ形状面積の解析を行う。ここでの解析としては、全てのフレーム画像中のスジ形状面積の平均値や、標準偏差を算出することが挙げられる。スジ形状面積の平均値はすなわち、被験者のスジ形状面積の絶対値を示す指標であるといえる。また、スジ形状面積の標準偏差は、各フレーム画像の間における、すなわち、各表情の間におけるスジ形状面積のばらつきを表す指標であるといえる。
【００６７】
なお、ここで、平均値や標準偏差の計算は、ステップＳ２８で算出したスジ形状面積の値を直接用いて行ってもよいが、ステップＳ２４で抽出した解析対象領域全体の面積に対して、ステップＳ２８で算出したスジ形状面積が占める割合を用いて計算をすることがより好ましい。このように、解析対象領域中のスジ形状領域の割合を用いて解析を行うことで、被験者ごとの解析対象領域全体の面積の大きさの差による影響を抑えた解析を行うことができる。
【００６８】
このようにして求めた被験者のスジ形状面積の絶対値やばらつきより、被験者の肌状態の鑑別を行うことができる。
【００６９】
事前に複数の被験者についてスジ形状面積の解析を行い、各表情間におけるスジ形状面積の平均値やばらつきを算出しておき、それらの複数の被験者間における平均値や標準偏差と、鑑別対象とする被験者の各表情間におけるスジ形状面積の平均値やばらつきを比較することで、被験者の肌状態の鑑別を行えばよい。特に、肌の老化状態の鑑別を行うのであれば、事前に各表情間におけるスジ形状面積の平均値やばらつきの、世代ごとの平均値や標準偏差を算出しておき、それらの値と被験者についての測定値を比較すれば、被験者の肌の老化状態を鑑別することができる。
【００７０】
なお、ステップＳ２１における動画像の取得は、先に述べたように、汎用的なビデオカメラを用いて行えばよい。ステップＳ２２からステップＳ２９までの各処理については、コンピュータ装置上で動作する単一の、あるいは複数の、任意のソフトウェアを用いて行えばよい。これらのソフトウェアは、例えば、汎用的な画像処理ソフトウェアや表計算ソフトウェアなどを用いてもよいし、本発明に係る肌状態の解析のための専用のソフトウェアを用いてもよい。
【００７１】
［３］化粧料の評価方法、設計方法
本発明は、高輝度面積及び／又はスジ形状面積による肌状態の鑑別結果に基づいた化粧料の評価方法、及び化粧料の設計方法である。
【００７２】
図３は、本発明に係る化粧料の評価方法を示すフローチャートである。これを参照して、本発明の化粧料の評価方法について、詳細に説明する。
【００７３】
まず、ステップＳ３１において、化粧後の特徴量の解析を行う。ここで、特徴量として顔の高輝度面積を用いるのであれば、化粧後の顔画像について、図１のフローチャートに示した手順にしたがった高輝度面積の解析を行う。すなわち、ステップＳ１１において、化粧後の動画像を取得し、その解析を行う。
【００７４】
また、特徴量としてスジ形状面積を用いる場合についても同様に、図２のフローチャートに示した手順に従ったスジ形状面積の解析を、ステップＳ２１において化粧後の動画像を取得して行う。
【００７５】
なお、特徴量としては、高輝度面積とスジ形状面積のいずれか一方を用いてもよいし、両方を用いてもよい。また、更に異なる特徴量をあわせて用いてもよい。
【００７６】
ステップＳ３１で化粧後の特徴量の解析を行った後には、ステップＳ３２において、化粧前後の特徴量の比較を行う。ここで、比較対象とする化粧前の特徴量については、ステップＳ３１において化粧後の特徴量を取得する対象と同一人について、事前に取得した値を用いればよい。なお、本明細書にいう化粧前とは、評価対象とする化粧料を用いていない状態を指すものである。すなわち、化粧料を使用していない素肌の状態や、評価対象とする化粧料以外の化粧料を使用している状態などを含むものである。
【００７７】
ここで、化粧前後の特徴量に変化が現れれば、それは化粧効果によるものであると言える。例えば、特徴量の絶対値及び各表情間におけるばらつきが小さいほど肌状態が良好である、といった特徴量、肌状態、及びそれを改善する化粧料を想定すれば、ステップＳ３２において化粧前に比べて化粧後の特徴量の絶対値及び各表情間におけるばらつきが小さくなった度合いを、化粧効果の評価値として用いることができる。
【００７８】
このように、化粧前後の特徴量の比較によって化粧効果の大小を判断し、化粧料の評価を行うことができる。
【００７９】
図４は、上述した評価方法を用いた化粧料の設計方法を示す図である。まず、ステップＳ４１において、図３のフローチャートに示した手順によって、高輝度面積及び／又はスジ形状面積を用いた化粧料の評価を行う。ここで評価対象とする化粧料は、その成分の処方が明らかな既存の化粧料など、任意のものであってよい。
【００８０】
そして、ステップＳ４２に進み、ここで設計を完了しない場合には、ステップＳ４３に進む。ステップＳ４３では、ステップＳ４１で評価対象とした化粧料の成分の処方の選択を行う。
【００８１】
その後、再びステップＳ４１に戻り、ステップＳ４３において処方を選択した化粧料について、再度化粧料の評価を行う。なお、ここでは、図３においてステップＳ３２に示した化粧前後の特徴量の比較に加えて、あるいはそれに代えて、処方の変更前後の化粧料を用いた場合の特徴量についての比較を行ってもよい。
【００８２】
以上のように、化粧料の評価と、成分の処方の選択を繰り返し、十分な化粧効果が得られる化粧料の処方が得られた場合など、ステップＳ４２において化粧料の設計を完了することが選択されると、化粧料の設計は終了する。
【００８３】
このように、本発明に係る肌状態の鑑別方法、そしてそれを用いた化粧料の評価方法を利用することによって、肌状態を改善するための化粧料の設計を行うことができる。
【００８４】
なお、本実施形態においては、実際に被験者の皮膚に化粧料を塗布し、特徴量の解析を行うことで化粧料の評価や設計を行う方法を示したが、皮膚の代替物を試料として用いて、同様の化粧料の評価や設計を行ってもよい。皮膚の代替物としては、質感や弾力性、毛穴などの表面形状等について、人の皮膚を模したものを用いることが好ましい。例えば、市販の人工皮膚などを皮膚の代替物として用い、それに外力を加えることによって圧縮や伸長などの形状変化を生じさせ、人の顔の表情変化に伴う皮膚の形状変化に類する状態を疑似的に再現し、特徴量の解析を行う、といった方法を用いることができる。
【００８５】
あるいは、人の表情の変化時における毛穴などの皮膚の表面形状の変化を模した試料を作成し、それを皮膚の代替物として用いてもよい。このような試料を用いることによっても、様々な表情を取った際にどのような化粧効果が生じるかを、多面的に評価することができる。
【００８６】
以下に、高輝度領域の一例としてのテカリ面積の解析、スジ形状面積の解析、及び化粧料の使用によるテカリ面積、スジ形状面積の変化についての実施例を挙げて、本発明について更に詳細に説明を加えるが、本発明がこの実施例にのみ限定されないことは言うまでもない。
【実施例】
【００８７】
［１］テカリ面積の解析
＜各年代におけるテカリ面積の抽出＞
ここでは、２０代、３０代、４０代、５０代、６０代について、それぞれ１４名ずつ、計７０名の女性を被験者として、図１のフローチャートに示すように、高輝度面積の抽出と解析を行った。なお、本実施例では、高輝度領域として、肌にテカリが感じられるテカリ領域を用いた解析を行った。また、肌状態として、特に被験者の年齢に伴って変化する、老化状態に着目した解析を行った。
【００８８】
ステップＳ１１の動画像の取得工程では、図５に示すような被験者の表情変化を含む動画像を撮影した。各被験者は、図５（ａ）に示す無表情の状態から、図５（ｂ）に示す「縦方向へ伸展した表情、図５（ｃ）に示す縦方向へ収縮した表情、図５（ｄ）に示す横方向に伸展した表情、図５（ｅ）に示す横方向に収縮した表情、図５（ｆ）に示す頬を膨らませている表情、図５（ｇ）に示す頬を萎ませている表情の計７種類の表情を順次とり、その表情変化の様子をカラー動画像として撮影した。
【００８９】
なお、図５（ａ）〜（ｇ）には被験者の顔を正面から撮影した場合の各表情を示したが、ここでは、図６（ａ）に示すように、被験者の顔を正面から向かって右に４５度ずらし、被験者の左頬が動画像の中心に位置するような状態で撮影した動画像を用いた。また、図６（ｂ）に示したように、被験者の顔を正面から向かって右に３２度、上に３２度ずらし、向かって右上から撮影した動画像や、図６（ｃ）に示すように、被験者の顔を正面から向かって右に３２度、下に３２度ずらし、向かって右下から撮影した動画像など、他の角度から被験者の顔の表情変化を撮影した動画像を用いてもよい。
【００９０】
そして、ステップＳ１２のフレーム画像の取得工程では、動画像を各フレーム画像に分解し、図５（ａ）〜図５（ｇ）に示したような各表情が最も強く表出している７枚のフレーム画像を抽出した。
【００９１】
ステップＳ１３のＢ画像の取得工程では、ステップＳ１２で取得した各フレーム画像をＲＧＢ平面に分割し、解析対象としてＢ画像を取得、そして、ステップＳ１４のフィルタ適用処理を行った。なお、ステップＳ１４におけるフィルタ適用処理では、後のステップでテカリ領域の抽出を行いやすくするために、Ｂ画像とした各フレーム画像にＦＦＴフィルタなどの適用を行った。
【００９２】
その後、ステップＳ１５の解析対象領域の抽出処理により、図７（ａ）〜（ｇ）に示したように、被験者の頬部位を解析対象領域として抽出した。
【００９３】
そして、ステップＳ１６において、解析対象領域のＢ画像より、所定の閾値を超える階調値を有する領域をテカリ領域として抽出し、その面積を算出した。図８（ａ）〜（ｇ）において黒塗りで示される領域が、図７（ａ）〜（ｇ）の各Ｂ画像によりテカリ領域として抽出された領域である。なお、ここでの閾値は、目視でテカリを感じられる領域が抽出されるよう、被験者毎に別個の設定を行った。
【００９４】
テカリ領域が解析対象領域全体の内で占める割合を算出した結果、１０代から６０代までの各世代について、図９から図１３に示す結果が得られた。ステップＳ１８で、これらのテカリ面積についての解析を行った。
【００９５】
＜テカリ面積の絶対値についての解析＞
まず、各被験者のデータについて、図８（ａ）〜（ｇ）に示したような全ての表情のテカリ面積の割合の平均値の算出を、それぞれ行った。そして、各被験者についての各表情間におけるテカリ面積の割合の平均値を用いて、更に、年代毎の平均値の算出を行った。また、各被験者についての各表情間におけるテカリ面積の割合の平均値から、年代毎の標準偏差の算出を行った。
【００９６】
以上のようにして算出した、各表情間におけるテカリ面積の割合の平均値の、年代毎の平均値及び標準偏差を、図１４に示す。これを見ると、年代が上がるにつれて、テカリ面積の平均値は大きくなることが読み取れる。また、標準偏差に着目すると、年代が上がるにつれて、各表情間におけるテカリ面積の割合の平均値の、各被験者間でのばらつきが大きくなることが読み取れる。
【００９７】
この結果から、肌の老化状態が強く表れているほど、テカリ面積の絶対値が大きくなるという知見が得られた。
【００９８】
＜テカリ面積のばらつきについての解析＞
続いて、テカリ面積の割合の各表情間におけるばらつきについての解析を行った。まず、図８（ａ）〜（ｇ）に示したような各表情についてのテカリ面積の割合の標準偏差の算出を、各被験者のデータについてそれぞれ行った。これはすなわち、各被験者についての各表情間におけるテカリ面積の割合のばらつきを示す値である。
【００９９】
そして、各被験者についての各表情間におけるテカリ面積の割合の標準偏差の、年代毎の平均値の算出をおこなった。これは、各年代における各表情間でのテカリ面積の割合のばらつきを示す値である。また、各被験者についての各表情間におけるテカリ面積の割合の標準偏差の、年代毎の標準偏差の算出を行った。これは、各年代における各表情間でのテカリ面積の割合のばらつきの、各被験者間でのばらつきを示す値である。
【０１００】
以上のように算出した、各表情間におけるテカリ面積の割合の標準偏差の年代別の平均値と、その標準偏差を、図１５に示す。これを見ると、各表情間におけるテカリ面積の割合のばらつきは、年代が上がるにつれて大きくなっていくことが読み取れる。また、各被験者間での標準偏差に着目すると、各表情間でのテカリ面積の割合の変化の各被験者間のばらつきが、年代が上がるにつれて大きくなることが読み取れる。
【０１０１】
この結果から、肌の老化状態が強く表れているほど、各表情間におけるテカリ面積のばらつき、すなわち、表情変化に伴うテカリ面積の変化量が大きくなるという知見が得られた。
【０１０２】
［２］スジ形状面積の解析
＜各年代におけるスジ形状面積の抽出＞
テカリ面積の解析と同様の、２０代、３０代、４０代、５０代、６０代について、それぞれ１４名ずつ、計７０名の女性を被験者として、図２のフローチャートに示すように、スジ形状面積の抽出と解析を行った。
【０１０３】
ステップＳ２１の動画像の取得、及びステップＳ２２のフレーム画像の取得については、テカリ面積の解析においてそれぞれ取得した動画像、及びフレーム画像と同一のものを用いた。続くステップＳ２３においては、フレーム画像からのＧ画像の抽出を行った。
【０１０４】
そして、ステップＳ２４の解析対象領域の抽出処理で、各フレームのＧ画像より頬部位の領域を解析対象領域として抽出し、ステップＳ２５で、後のステップでスジ形状領域の抽出を行いやすくするために、それぞれのＧ画像に、スムージングやエッジ抽出などのフィルタを適用した。
【０１０５】
ステップＳ２６では、ステップＳ２５で抽出した解析対象領域のＧ画像より、階調値が所定範囲内に含まれる領域を、スジ形状領域として粗に抽出した。更に、ステップＳ２７において、真円度によるフィルタリングを行い、線形状の抽出を行い、その結果をスジ形状領域とした。なお、ここでの階調値の所定範囲は、フレーム画像中から階調値が当該範囲に含まれる領域を抽出した場合にスジ形状領域が得られるような、被験者ごとの任意の範囲を採用した。
【０１０６】
スジ形状領域が解析対象領域全体の内で占める割合を算出した結果、１０代から６０代までの各世代について、図１６から図２０に示す結果が得られた。ステップＳ２９で、これらのスジ形状面積についての解析を行った。
【０１０７】
＜スジ形状面積の絶対値についての解析＞
まず、各被験者のデータについて、全ての表情のスジ形状面積の割合の平均値の算出を、それぞれ行った。そして、各被験者についての各表情間におけるスジ形状面積の割合の平均値を用いて、更に、年代毎の平均値の算出を行った。また、各被験者についての各表情間におけるスジ形状面積の割合の平均値から、年代毎の標準偏差の算出を行った。
【０１０８】
以上のようにして算出した、各表情間におけるスジ形状面積の割合の年代毎の平均値及び標準偏差を、図２１に示す。これを見ると、年代が上がるにつれて、スジ形状面積の割合の平均値は大きくなることが読み取れる。また、標準偏差に着目すると、年代が上がるにつれて、各表情間におけるスジ形状面積の割合の平均値の、各被験者間でのばらつきが大きくなることが読み取れる。
【０１０９】
この結果から、肌の老化状態が強く表れているほど、スジ形状面積の絶対値が大きくなるという知見が得られた。
【０１１０】
＜スジ形状面積のばらつきについての解析＞
続いて、スジ形状面積の割合の各表情間におけるばらつきについての解析を行った。まず、各表情についてのスジ形状面積の割合の標準偏差の算出を、各被験者のデータについてそれぞれ行った。これはすなわち、各被験者についての各表情間におけるスジ形状面積の割合のばらつきを示す値である。
【０１１１】
そして、各被験者についての各表情間におけるスジ形状面積の割合の標準偏差の、年代毎の平均値の算出をおこなった。これは、各年代における、各表情間でのスジ形状面積の割合のばらつきを示す値である。また、各被験者についての各表情間におけるスジ形状面積の割合の標準偏差の、年代毎の標準偏差の算出を行った。これは、各年代における各表情間でのスジ形状面積の割合のばらつきの、各被験者間でのばらつきを示す値である。
【０１１２】
以上のように算出した、各表情間におけるスジ形状面積の割合の標準偏差の平均値と、その標準偏差を、図２２に示す。これを見ると、各表情間におけるスジ形状面積の割合のばらつきは、年代が上がるにつれて大きくなっていくことが読み取れる。また、各被験者間での標準偏差に着目すると、各表情間でのスジ形状面積の変化の各被験者間のばらつきが、年代が上がるにつれて大きくなることが読み取れる。
【０１１３】
この結果から、肌の老化状態が強く表れているほど、各表情間におけるスジ形状面積のばらつき、すなわち、表情変化に伴うスジ形状面積の変化量が大きくなるという知見が得られた。
【０１１４】
［３］化粧料の評価
化粧料の評価のために、化粧料の塗布前後におけるテカリ面積及びスジ形状面積の変化の測定を行った。これは、４０代の女性５名を被験者とし、各被験者について、図１のフローチャートに示した方法によるテカリ面積の解析と、図２のフローチャートに示したスジ形状面積の解析を素肌の状態で行い、その後、評価対象とする化粧料の一例として、ファンデーションを塗布した状態で再度同様の解析を行ったものである。
【０１１５】
化粧前後のテカリ面積の算出結果を、図２３に示す。図２３（ａ）は、５名の被験者の内の１名についての化粧前と化粧後の各表情におけるテカリ面積を、代表例として示すものである。また、図２３（ｂ）は、化粧前と化粧後のそれぞれについて、各表情間でのテカリ面積の標準偏差の、各被験者間における平均値を示すものである。これはすなわち、化粧前と化粧後のそれぞれにおける、表情変化時のテカリ面積の変動度合いを示すものである。
【０１１６】
これらの結果を参照すると、化粧前の素肌状態と比較して、化粧後には表情変化によるテカリ面積の変動が小さくなっていることがわかる。先に図１４及び図１５に示した各年代におけるテカリ面積の解析結果とあわせて考えると、化粧料の塗布により、被験者の老化状態の改善が見られたと言える。
【０１１７】
化粧前後のスジ形状領域が解析対象領域において占める割合の算出結果を、図２４に示す。図２４（ａ）は、５名の被験者の内の１名についての化粧前と化粧後の各表情における５スジ形状領域の割合を、代表例として示すものである。また、図２４（ｂ）は、化粧前と化粧後のそれぞれについて、各表情間でのスジ形状領域の割合の標準偏差の、各被験者間における平均値を示すものである。これはすなわち、化粧前と化粧後のそれぞれにおける、表情変化時のスジ形状領域の割合の変動度合いを示すものである。
【０１１８】
これらの結果を参照すると、化粧前の素肌状態と比較して、化粧後には表情変化によるスジ形状面積の変動が小さくなっていることがわかる。先に図２１及び図２２に示した各年代におけるスジ形状面積の解析結果とあわせて考えると、化粧料の塗布により、被験者の老化状態の改善が見られたと言える。
【０１１９】
以上のように、化粧料の塗布によって、テカリ面積及びスジ形状面積に変化が見られた。これより、化粧料の塗布前後におけるテカリ面積及び／又はスジ形状面積の解析を行うことで、老化状態への化粧の効果を判定し、化粧料の評価を行うことができることが見いだされた。
【０１２０】
また、この化粧料の評価方法を利用することで、テカリ面積及び／又はスジ形状面積の絶対値や表情変化時の変動をより小さくし、老化状態に対しより良い効果を示す化粧料の設計を行うことができる可能性が示唆された。
【０１２１】
［４］人工皮膚を用いた特徴量解析
人工皮膚に外力を加え、変形させた際のテカリ面積及びスジ形状面積の変化の測定を行った。人工皮膚としては、人の頬部の毛穴等の表面形状を模した、ビューラックス社製の頬部肌模型（２種類、２つずつの計４つ）を用いた。そして、それぞれの人工皮膚について、フォースゲージを取り付けた電動計測スタンドに万力によって固定し、電動計測スタンドを作動させることによる、表情変化時の顔の皮膚の動きを想定した変形を行った。
【０１２２】
図２５（ａ）に、人工皮膚を電動計測スタンドに取り付けた際の様子を示す。この際、人工皮膚下部の固定用万力と人工皮膚上部のフォースゲージとの間の距離が４ｃｍとなるように固定した。これを、人工皮膚が外力によって変形していない、通常状態として撮影した。これはすなわち、被験者の表情変化の解析を行う実施例において図５（ａ）に示したような、無表情の状態に対応するものである。
【０１２３】
次に、フォースゲージを１．７ｃｍ上昇させ、図２５（ｂ）に示すように人工皮膚を伸長させ、伸び状態として撮影を行った。これは、被験者の表情変化の解析を行う場合において図５（ｂ）に代表されるような、解析対象領域の皮膚が伸展した状態に対応するものである。
【０１２４】
人工皮膚を図２５（ａ）に示したような通常状態に戻した後、人工皮膚を後方より押し出しながらフォースゲージを更に１．７ｃｍ下降させ、図２５（ｃ）に示すように人工皮膚の中央部が手前に押し出されたような状態とし、これを膨らみ状態として撮影した。これは、被験者の表情変化の解析を行う場合において図５（ｆ）に代表されるような、解析対象領域を膨らませた状態に対応するものである。
【０１２５】
再び人工皮膚を図２５（ａ）に示したような通常状態に戻した後、人工皮膚を前方より押し込みながらフォースゲージを更に１．７ｃｍ下降させ、図２５（ｄ）に示すように、人工皮膚の中央部が奥に押し込まれたような状態とし、これを萎み状態として撮影した。これは、被験者の表情変化の解析を行う場合において図５（ｆ）に代表されるような、解析対象領域を萎ませた状態に対応するものである。
【０１２６】
以上のように、無表情の状態（図２５（ａ））、及び表情変化によって顔の皮膚が変形した状態（図２５（ｂ）〜（ｃ））を想定した４枚のカラー画像を撮影した後、それぞれＲＧＢ平面への分割を行った。図２６（ａ）〜（ｄ）は、図２５（ａ）〜（ｄ）の各画像より取得した、解析対象領域のＢ画像を示すものである。
【０１２７】
そして、図２６（ａ）〜（ｄ）に示したＢ画像より、所定の閾値を超える階調値を有する領域をテカリ領域として抽出し、その面積を算出した。図２７（ａ）〜（ｄ）において黒塗りで示される領域が、図２６（ａ）〜（ｄ）の各Ｂ画像よりテカリ領域として抽出された領域である。
【０１２８】
また、図２５（ｂ）〜（ｃ）に示した画像をＲＧＢ平面へ分割したＧ画像より、階調値が所定範囲内に含まれる領域をスジ形状領域として粗に抽出した後、真円度によるフィルタリングや線形状の抽出を行い、その結果をスジ形状領域として抽出した。図２８（ａ）〜（ｄ）において黒塗りで示される領域が、図２５（ｂ）〜（ｃ）から取得したそれぞれのＧ画像より、スジ形状領域として抽出された領域である。そして、それぞれについて、スジ形状領域が解析対象領域内で占める面積の割合を算出した。
【０１２９】
図２９は、図２７（ａ）〜（ｄ）に示したような各画像中のテカリ領域の面積を、図３０は、図２８（ａ）〜（ｄ）に示したような各画像において、スジ形状領域として抽出された領域が占める面積の割合を、それぞれ示すものである。なお、図２９及び図３０における４つのデータ系列は、それぞれ、試料として用いた４つの人工皮膚に対応するものである。
【０１３０】
図２９、図３０を参照すると、被験者の表情変化時についての解析結果と同様に、図２６（ａ）〜（ｄ）に示したような人工皮膚の変形に伴い、テカリ領域の面積、スジ形状領域の面積ともに変動していることがわかる。
【０１３１】
以上から、人工皮膚などの皮膚の代替物を変形させることにより、表情変化時における顔の皮膚の変化に類する状態を疑似的に作り出すことができると考えられる。すなわち、人工皮膚などの皮膚の代替物に化粧料を塗布し、特徴量の解析を行うことによって、被験者の顔に化粧料を塗布して行う場合と同様に、化粧料の評価及び設計を実施できることが期待される。
【０１３２】
なお、ここでは、図２５（ａ）〜（ｄ）の人工皮膚を撮影した画像をテカリ面積、スジ形状面積の解析対象とした例を示したが、被験者の表情変化を含む動画像を撮影する場合と同様、人工皮膚の変形の過程を含む動画像を撮影し、その中から解析対象とするフレーム画像を抽出するような方法を用いてもよい。
【０１３３】
［５］複数の化粧料の効果の比較
１０名の被験者について、それぞれ、素肌の状態、化粧料Ａを使用した状態、及び化粧料Ａと処方の異なる化粧料Ｂを使用した状態で、図１のフローチャートに示した方法によるテカリ面積の解析と、図２のフローチャートに示したスジ形状面積の解析を行った。
【０１３４】
図３１は、素肌状態における被験者の表情変化の様子の一例を示す図である。これは、図５に示したものと同様に、被験者の表情変化の様子を動画像として撮影し、その動画像中から、各表情が最も強く表出しているフレーム画像を取得したものである。同様に、図３２は化粧料Ａを使用した状態の、図３３は化粧料Ｂを使用した状態の被験者の表情変化の様子を撮影したものである。これらのフレーム画像をＲＧＢ平面に分解し、テカリ領域の解析にはＢ画像を、スジ形状領域の解析にはＧ画像を、それぞれ用いた。なお、テカリ領域の解析、スジ形状領域の解析共に、被験者の頬部を解析対象領域とした。
【０１３５】
図３４に、素肌の状態におけるテカリ領域の解析結果を示す。図中で黒塗りとなっている領域が、テカリ領域として抽出された領域である。同様に、図３５に化粧料Ａを使用した状態におけるテカリ領域の解析結果を、図３６に化粧料Ｂを使用した状態におけるテカリ領域の解析結果を示す。図３４〜３６を比較すると、同一の被験者であっても、素肌、化粧料Ａ使用、化粧料Ｂ使用の各状態において、テカリ領域の態様に差異があることがわかる。
【０１３６】
図３７は、テカリ面積についての測定結果を示す図である。図３７（ａ）は、各被験者について、図３５〜３７に示したような各状態、各表情におけるテカリ面積の算出を行い、１０名の被験者の平均値を算出した結果を示すものである。
【０１３７】
これを見ると、全体として、化粧料Ａを使用した場合には素肌の状態よりもテカリ面積の値は大きくなり、一方、化粧料Ｂを使用した場合には素肌の状態よりもテカリ面積の値は小さくなる傾向がわかる。
【０１３８】
図３７（ｂ）は、素肌、化粧料Ａ使用、化粧料Ｂ使用の各状態について、各表情間でのテカリ面積の標準偏差の、１０名の被験者における平均値を示すものである。これはすなわち、素肌、化粧料Ａ使用、化粧料Ｂ使用のそれぞれの状態における、表情変化時のテカリ面積の変動度合いを示すものである。
【０１３９】
これを見ると、化粧料Ａを使用した場合には素肌の状態よりも表情変化時のテカリ面積の変動は大きくなり、一方で、化粧料Ｂを使用した場合には素肌の状態よりも表情変化時のテカリ面積の変動は小さくなっていることがわかる。
【０１４０】
続いて、図３８に、素肌の状態におけるスジ形状領域の解析結果を示す。図中で黒塗りとなっている領域が、スジ形状領域として抽出された領域である。同様に、図３９に化粧料Ａを使用した状態におけるスジ形状領域の解析結果を、図４０に化粧料Ｂを使用した状態におけるスジ形状領域の解析結果を示す。図３８〜４０を比較すると、スジ形状領域の態様についても、同一の被験者でありながら各状態における態様に差異があることがわかる。
【０１４１】
図４１は、スジ形状面積についての測定結果を示す図である。図４１（ａ）は、各被験者について、図３８〜４０に示したような各状態、各表情において解析対象領域内でスジ形状領域が占める面積の割合を算出し、１０名の被験者の平均値を算出した結果を示すものである。
【０１４２】
これを見ると、全体として、化粧料Ａを使用した場合には素肌の状態よりもスジ形状領域の割合は大きくなり、一方、化粧料Ｂを使用した場合には素肌の状態よりもスジ形状領域の割合は小さくなる傾向がわかる。
【０１４３】
図４１（ｂ）は、素肌、化粧料Ａ使用、化粧料Ｂ使用の各状態について、各表情間でのスジ形状領域の割合の標準偏差の、１０名の被験者における平均値を示すものである。これはすなわち、素肌、化粧料Ａ使用、化粧料Ｂ使用のそれぞれの状態における、表情変化時のスジ形状面積の変動度合いを示すものである。
【０１４４】
これを見ると、化粧料Ａを使用した場合には素肌の状態よりも表情変化時のスジ形状面積の変動は大きくなり、一方で、化粧料Ｂを使用した場合には素肌の状態よりも表情変化時のスジ形状面積の変動は小さくなっていることがわかる。
【０１４５】
以上のように、素肌、化粧料Ａ使用、化粧料Ｂ使用の３つの状態における測定結果を比較すると、テカリ面積の解析、スジ形状面積のどちらについても、化粧料Ａを使用した状態については、素肌の状態よりもテカリ面積、スジ形状面積の絶対値やばらつきが大きくなり、一方で、化粧料Ｂを使用した状態については、素肌の状態、及び化粧料Ａを使用した状態よりも、テカリ面積、スジ形状面積の絶対値やばらつきが小さくなったことがわかる。
【０１４６】
これは、先に実施例１，２に示した、肌の老化状態が強く表出している場合に、表情変化時のテカリ面積及びスジ形状面積の絶対値、ばらつきが大きくなっている、という解析結果に照らし合わせると、化粧料Ａを使用した場合には、素肌の状態よりも肌の老化状態が強く表出してしまい、一方で、化粧料Ｂを使用した場合には、素肌の状態よりも肌の老化状態の表出を抑えることができるといえる。すなわち、肌の老化状態の表出を抑える、という観点では、化粧料Ａよりも化粧料Ｂの方がより好適であるといえる。
【０１４７】
このように、評価対象とする化粧料を使用した状態と、素肌の状態や比較対象とする他の化粧料を使用した状態のそれぞれについてテカリ面積やスジ形状面積の測定を行い、それらの結果の比較を行うことで、化粧料の評価を行うことができる。また、このような評価結果に基づいて、より好適な結果が得られるように評価対象の化粧料の処方を変更して更に測定を繰り返すことで、化粧料の設計を行うことができると考えられる。
【産業上の利用可能性】
【０１４８】
本発明は、化粧料の販売、カウンセリング、エステティック等の場面における顧客の肌状態の鑑別や、化粧料の研究開発における評価や設計などに利用できる。
【図１】
2017217445.tif 000003
【図２】
2017217445.tif 000004
【図３】
2017217445.tif 000005
【図４】
2017217445.tif 000006
【図５】
2017217445.tif 000007
【図６】
2017217445.tif 000008
【図７】
2017217445.tif 000009
【図８】
2017217445.tif 000010
【図９】
2017217445.tif 000011
【図１０】
2017217445.tif 000012
【図１１】
2017217445.tif 000013
【図１２】
2017217445.tif 000014
【図１３】
2017217445.tif 000015
【図１４】
2017217445.tif 000016
【図１５】
2017217445.tif 000017
【図１６】
2017217445.tif 000018
【図１７】
2017217445.tif 000019
【図１８】
2017217445.tif 000020
【図１９】
2017217445.tif 000021
【図２０】
2017217445.tif 000022
【図２１】
2017217445.tif 000023
【図２２】
2017217445.tif 000024
【図２３】
2017217445.tif 000025
【図２４】
2017217445.tif 000026
【図２５】
2017217445.tif 000027
【図２６】
2017217445.tif 000028
【図２７】
2017217445.tif 000029
【図２８】
2017217445.tif 000030
【図２９】
2017217445.tif 000031
【図３０】
2017217445.tif 000032
【図３１】
2017217445.tif 000033
【図３２】
2017217445.tif 000034
【図３３】
2017217445.tif 000035
【図３４】
2017217445.tif 000036
【図３５】
2017217445.tif 000037
【図３６】
2017217445.tif 000038
【図３７】
2017217445.tif 000039
【図３８】
2017217445.tif 000040
【図３９】
2017217445.tif 000041
【図４０】
2017217445.tif 000042
【図４１】
2017217445.tif 000043